【手続補正書】
【提出日】平成28年9月2日(2016.9.2)
【手続補正１】
【補正対象書類名】特許請求の範囲
【補正対象項目名】全文
【補正方法】変更
【補正の内容】
【特許請求の範囲】
【請求項１】
少なくとも１つのレンズの光軸に直交する移動を可能にするように少なくとも１つのレンズを備えるカメラレンズ要素を懸架するためのサスペンションシステムであって、
支持構造と、
光軸を有する少なくとも１つのレンズを備えるカメラレンズ要素と、
前記支持構造と前記カメラレンズ要素との間に配設され、前記光軸に直交する前記支持構造に対する前記カメラレンズ要素の移動を可能にする少なくとも１つのボールと、
前記支持構造と前記カメラレンズ要素との間に接続された偏倚構成であって、前記支持構造および前記カメラレンズ要素を前記少なくとも１つのボールに反して偏倚すると共に、前記光軸に直交する前記支持構造に対する前記カメラレンズ要素の前記移動を可能にする偏倚構成と、
側方向作動構成と
を備え、
前記側方向作動構成は、ある構成において前記支持構造と前記カメラレンズ要素との間に接続された複数のＳＭＡアクチュエータワイヤを備え、前記構成において、前記ＳＭＡアクチュエータワイヤは、選択駆動時に、前記少なくとも１つのレンズの前記光軸に直交する任意の方向に前記支持構造に対して前記可動要素を移動させるように構成されている、サスペンションシステム。
【請求項２】
前記偏倚構成が、側方向偏倚力を提供するように構成され、前記側方向偏倚力が、前記カメラレンズ要素を中心位置に向けて偏倚する、請求項１に記載のサスペンションシステム。
【請求項３】
前記偏倚構成が、少なくとも１つの可撓体を備える、請求項１または２に記載のサスペンションシステム。
【請求項４】
前記光軸に直交する前記少なくとも１つの可撓体の平均幅が、前記光軸に平行な前記少なくとも１つの可撓体の平均厚さよりも大きい、請求項３に記載のサスペンションシステム。
【請求項５】
前記少なくとも１つの可撓体が、その弛緩状態から偏向され、それにより前負荷力を提供し、前記前負荷力が、前記支持構造および前記カメラレンズ要素を前記少なくとも１つのボールに反して偏倚する、請求項３または４に記載のサスペンションシステム。
【請求項６】
前記光軸に直交する方向で求めた前記少なくとも１つの可撓体の前記端部間の距離が、前記光軸に平行な方向で求めた前記少なくとも１つの可撓体の前記端部間の距離よりも大きい、請求項３から５のいずれか一項に記載のサスペンションシステム。
【請求項７】
前記少なくとも１つの可撓体が、前記少なくとも１つの可撓体の前記端部間で測定したときに前記光軸の周りで少なくとも９０°延びる、請求項３から６のいずれか一項に記載のサスペンションシステム。
【請求項８】
前記少なくとも１つの可撓体の長さが、前記光軸に直交する前記少なくとも１つの可撓体の平均幅よりも大きい、請求項３から７のいずれか一項に記載のサスペンションシステム。
【請求項９】
前記少なくとも１つの可撓体が複数の可撓体を備える、請求項３から８のいずれか一項に記載のサスペンションシステム。
【請求項１０】
前記支持構造の一部を成す支持アセンブリと、前記カメラレンズ要素の一部を成す移動アセンブリとを備え、前記支持アセンブリと前記移動アセンブリとがそれぞれ積層構造を有し、前記少なくとも１つの可撓体が、前記支持アセンブリと前記移動アセンブリとの間に接続される、請求項３から８のいずれか一項に記載のサスペンションシステム。
【請求項１１】
前記支持構造に取り付けられた前記少なくとも１つの可撓体の一端にあるベース取付部と、前記カメラレンズ要素に取り付けられた前記少なくとも１つの可撓体の他端にある移動取付部とをさらに備え、前記少なくとも１つの可撓体と、前記ベース取付部と前記移動取付部とが、シート材から一体に形成される、請求項３に記載のサスペンションシステム。
【請求項１２】
前記支持構造が、シート材から形成された支持プレートを備え、前記支持プレートに前記ベース取付部が取り付けられ、前記カメラレンズ要素が、シート材から形成された移動プレートを備え、前記移動プレートに前記移動取付部が取り付けられる、請求項１１に記載のサスペンションシステム。
【請求項１３】
前記支持プレートと積層された少なくとも１つの電気絶縁層と、前記移動プレートと積層された少なくとも１つの電気絶縁層とをさらに備える、請求項１２に記載のサスペンションシステム。
【請求項１４】
前記支持プレートおよび移動プレートがそれぞれ、前記ＳＭＡアクチュエータワイヤを圧着する圧着部を有するように形取られる、請求項１２または１３に記載のサスペンションシステム。
【請求項１５】
前記支持プレートが、異なるＳＭＡアクチュエータワイヤにそれぞれ圧着される少なくとも２つの電気的に隔離された部分に分割される、請求項１４に記載のサスペンションシステム。
【請求項１６】
前記複数のＳＭＡアクチュエータワイヤが、計４本のＳＭＡワイヤからなり、前記支持プレートが、異なるＳＭＡアクチュエータワイヤに圧着された４つの電気的に隔離された部分に分割される、請求項１５に記載のサスペンションシステム。
【請求項１７】
前記支持プレートと積層されたシート材から形成された軸受プレートをさらに備え、前記軸受プレートが少なくとも１つのボールを支承する、請求項１２から１６のいずれか一項に記載のサスペンションシステム。
【請求項１８】
前記軸受プレートが、前記支持プレートに対して前記カメラレンズ要素と反対側にあり、前記支持プレートが、前記または各ボールのためのアパーチャを有し、前記アパーチャを通して前記軸受プレートが前記少なくとも１つのボールに係合する、請求項１７に記載のサスペンションシステム。
【請求項１９】
前記移動プレートが、各ＳＭＡアクチュエータワイヤを圧着する圧着部を備えるように形取られた単一のプレートである、請求項１２から１８のいずれか一項に記載のサスペンションシステム。
【請求項２０】
前記移動取付部が、前記移動プレートと積層されたプレートである、請求項１２から１９のいずれか一項に記載のサスペンションシステム。
【請求項２１】
前記移動取付部が、前記少なくとも１つのボールを支承する、請求項２０に記載のサスペンションシステム。
【請求項２２】
前記移動取付部が、それぞれ異なる可撓体に接続された２つの電気的に隔離された部分に分割され、前記部分の少なくとも１つが前記移動プレートに電気的に接続される、請求項１１から２１のいずれか一項に記載のサスペンションシステム。
【請求項２３】
前記少なくとも１つの可撓体を介して前記支持構造から前記カメラレンズ要素に電気的接続が形成される、請求項３から２２のいずれか一項に記載のサスペンションシステム。
【請求項２４】
前記少なくとも１つの可撓体を介して前記ＳＭＡアクチュエータワイヤへの電気的接続が形成されている、請求項２３に記載のサスペンションシステム。
【請求項２５】
前記ＳＭＡアクチュエータワイヤのための駆動信号を発生するための側方向制御回路をさらに備え、前記可撓体の少なくとも１つを介して前記側方向制御回路から前記ＳＭＡアクチュエータへの電気的接続が形成される、請求項２４に記載のサスペンションシステム。
【請求項２６】
前記カメラレンズ要素が、
レンズキャリッジと、
１つまたは複数のレンズの少なくとも１つが前記レンズキャリッジに対して前記光軸に沿って移動可能であるように、前記レンズキャリッジに支持された１つまたは複数のレンズと、
前記レンズキャリッジに対する前記光軸に沿った前記１つまたは複数のレンズの前記少なくとも１つの移動を駆動するように構成された軸方向作動構成と、
前記少なくとも１つの可撓体を介して前記軸方向作動構成へ形成された電気的接続と
を備える、請求項２３から２５のいずれか一項に記載のサスペンションシステム。
【請求項２７】
前記軸方向作動構成のための駆動信号を発生するための軸方向制御回路をさらに備え、前記可撓体の少なくとも２つを介して前記軸方向制御回路から前記軸方向作動構成への電気的接続が形成される、請求項２６に記載のサスペンションシステム。
【請求項２８】
前記偏倚構成が、少なくとも１つの可撓体を含み、前記支持構造が、弾性部材をさらに備え、前記弾性部材が、前記ボールまたは各ボールに係合し、そのボールを前記カメラレンズ要素に反して偏倚するように構成される、請求項１から２７のいずれか一項に記載のサスペンションシステム。
【請求項２９】
前記少なくとも１つのボールが、少なくとも３つのボールを備える、請求項１から２６のいずれか一項に記載のサスペンションシステム。
【請求項３０】
前記少なくとも１つのボールが、計３つのボールからなる、請求項２９に記載のサスペンションシステム。
【請求項３１】
前記少なくとも１つのレンズが、大きくとも１０ｍｍの直径を有する、請求項１から３０のいずれか一項に記載のサスペンションシステム。
【請求項３２】
前記支持構造に取り付けられたイメージセンサをさらに備え、前記カメラレンズ要素が、前記イメージセンサ上に像を合焦するように構成される、請求項１から３１のいずれか一項に記載のサスペンションシステム。
【請求項３３】
前記カメラレンズ要素が、
レンズキャリッジと、
１つまたは複数のレンズの少なくとも１つが前記レンズキャリッジに対して前記光軸に沿って移動可能であるように、前記レンズキャリッジに支持された１つまたは複数のレンズと、
前記レンズキャリッジに対する前記光軸に沿った前記１つまたは複数のレンズの前記少なくとも１つの移動を駆動するように構成された軸方向作動構成と
を備える請求項１から３２のいずれか一項に記載のサスペンションシステム。
【請求項３４】
前記複数のＳＭＡワイヤが、計４本のＳＭＡワイヤからなる、請求項１から３３のいずれか一項に記載のサスペンションシステム。
【請求項３５】
前記側方向作動構成のための駆動信号を発生するための側方向制御回路をさらに備える、請求項１から３４のいずれか一項に記載のサスペンションシステム。
【請求項３６】
前記システムの振動を表す出力信号を発生するように構成された振動センサをさらに備え、
前記側方向制御回路が、前記カメラレンズ要素によって合焦される像を安定させるように前記カメラレンズ要素の移動を駆動するために、前記振動センサの前記出力信号に応答して、前記ＳＭＡアクチュエータワイヤのための駆動信号を発生するように構成される、請求項３５に記載のサスペンションシステム。